(57)【要約】【課題】高価な自動検針システムを用いることなく、建物に適したエネルギ需要予測を行い得るようにする。【解決手段】エネルギ需要予測方法は、一時的且つ短時間に計測したエネルギ需要量を解析して静的エネルギ需要量と動的エネルギ需要量に分割し、該静的エネルギ需要量と動的エネルギ需要量を基に、静的エネルギ需要量の絶対量と静的エネルギ需要量の１日の日合計のエネルギ需要量を決定し、且つ動的エネルギ需要量の需要パタンを類型化する工程と、気象指標と１日のエネルギ需要量の総需要量の関係を解析する工程と、当日の予想される気象指標Ｔから当日のエネルギ需要パタンを予測する工程とを経る。【選択図】        図１
2004355460.tif 000002
【特許請求の範囲】
【請求項１】
一時的且つ短時間に計測したエネルギ需要量を解析して静的エネルギ需要量と動的エネルギ需要量に分割し、該静的エネルギ需要量と動的エネルギ需要量を基に、静的エネルギ需要量の絶対量と静的エネルギ需要量の１日の日合計のエネルギ需要量を決定し、且つ動的エネルギ需要量の需要パタンを類型化する工程と、気象指標と１日のエネルギ需要量の総需要量の関係を解析する工程と、当日の予想される気象指標から当日のエネルギ需要パタンを予測する工程とを経ることを特徴とするエネルギ需要予測方法。
【請求項２】
一時的且つ短時間に計測したエネルギ需要量を解析して静的エネルギ需要量と動的エネルギ需要量に分割し、該静的エネルギ需要量と動的エネルギ需要量を基に、静的エネルギ需要量の絶対量と静的エネルギ需要量の１日の日合計のエネルギ需要量を決定し、且つ動的エネルギ需要量の需要パタンを類型化する工程と、気象指標と１日のエネルギ需要量の総需要量の関係を解析する工程と、当日の予想される気象指標から当日のエネルギ需要パタンを予測する工程と、日合計のエネルギ需要量により次の１日のエネルギ需要量のうち動的エネルギ需要量を補正する工程とを経ることを特徴とするエネルギ管理方法。
【請求項３】
検針実時間におけるエネルギ需要量により１日のエネルギ需要量を補正する工程を経る請求項２記載のエネルギ管理方法。
【発明の詳細な説明】
【０００１】
【発明の属する技術分野】
本発明はエネルギ需要予測方法及びエネルギ管理方法に関するものである。
【０００２】
【従来の技術】
ＥＳＣＯ事業やＢＥＭＳシステムでは、エネルギ管理を行うときに、時間毎のエネルギの需要量を知ることが熱源の運転制御や省エネルギ制御のうえで必要である。すなわち、建物の電力、照明、ガス、冷暖房、給湯等のエネルギ需要機器を適切に運転したり、エネルギの需要量を適切に管理したりするために、エネルギ需要量を予測することが必要である。
【０００３】
而して、従来のエネルギ需要量を予測する手段としては、人手による検針により得られた、各エネルギ需要機器群ごとの電気消費量及びガス消費量等のエネルギ需要量のデータを基に予測したり、或は中央監視システムで得られた日報、月報を基として予測したり、自動検針により得られた、各エネルギ需要機器群ごとの電気消費量及びガス消費量等のエネルギ需要量のデータを基に自己回帰方式により予測したりしている。
【０００４】
なお、従来のエネルギ需要予測システムとしては、例えば特許文献１があり、エネルギ管理システムとしては、例えば特許文献２がある。
【０００５】
【特許文献１】
特開平０８−０３５７０６号公報
【特許文献２】
特開２０００−２７４７７２号公報
【０００６】
【発明が解決しようとする課題】
しかしながら、上述の従来の予測システムや管理システムでは、日報や月報から得られたエネルギ需要量のデータを基に予測や管理を行うにはデータが不足しており、「ＰＡＬ／ＣＥＣ等のエネルギ消費の計画時負荷時間分布データ」及び「他の建物での実測負荷時間分布データ」等の公知のデータでは、実際の建物の詳細な時間負荷分布の実情にあってはおらず、しかも、全てのエネルギ需要機器に対応した定置の自動検針システムは高価であるため、時間毎にその建物に適したエネルギ需要予測やエネルギ管理を行うのは不可能であった。
【０００７】
本発明は、上述の実情に鑑み、高価な自動検針システムを用いることなく、建物に適したエネルギ需要予測方法及びエネルギ管理方法を提供することを目的としてなしたものである。
【０００８】
【課題を解決するための手段】
請求項１のエネルギ需要予測方法は、一時的且つ短時間に計測したエネルギ需要量を解析して静的エネルギ需要量と動的エネルギ需要量に分割し、該静的エネルギ需要量と動的エネルギ需要量を基に、静的エネルギ需要量の絶対量と静的エネルギ需要量の１日の日合計のエネルギ需要量を決定し、且つ動的エネルギ需要量の需要パタンを類型化する工程と、気象指標と１日のエネルギ需要量の総需要量の関係を解析する工程と、当日の予想される気象指標から当日のエネルギ需要パタンを予測する工程とを経るものである。
【０００９】
請求項２のエネルギ管理方法は、一時的且つ短時間に計測したエネルギ需要量を解析して静的エネルギ需要量と動的エネルギ需要量に分割し、該静的エネルギ需要量と動的エネルギ需要量を基に、静的エネルギ需要量の絶対量と静的エネルギ需要量の１日の日合計のエネルギ需要量を決定し、且つ動的エネルギ需要量の需要パタンを類型化する工程と、気象指標と１日のエネルギ需要量の総需要量の関係を解析する工程と、当日の予想される気象指標から当日のエネルギ需要パタンを予測する工程と、日合計のエネルギ需要量により次の１日のエネルギ需要量のうち動的エネルギ需要量を補正する工程とを経るものである。
【００１０】
請求項３のエネルギ管理方法は、検針実時間におけるエネルギ需要量により１日のエネルギ需要量を補正する工程を経るものである。
【００１１】
本発明によれば、エネルギ需要予測を高価な自動検針システムを用いることなく、建物に適した各時刻毎のエネルギ需要パタンとして予測し、補正することができ、又、エネルギ需要量管理をエネルギ需要予測の場合の効果に加えて建物に即した時間毎のエネルギ需要量を連続的に記録することが可能となる。なお、本発明におけるエネルギ管理方法とは、エネルギ需要機器のエネルギ消費動向を把握し、エネルギ需要機器の適切な運転を行うことをいう。
【００１２】
【発明の実施の形態】
以下、本発明の実施の形態を添付図面を参照して説明する。
図１〜図１１は本発明を実施する形態の一例である。なお、以下の説明で添え字のｎは数値が決定する前の一般の類型化パタン番号を表わし、添え字のＮは数値が決定した後の類型化パタン番号を表わしている。
図１中、１はインタネット又は手入力による気象指標Ｔ等の入力手段、２は入力手段１から当日の朝に入力された当日の気象指標Ｔ（当日に予測される最高気温）を取得するための気象指標取得手段、３は気象指標取得手段２からの気象指標Ｔを基に後述の類型化期間Ｓｎと該類型化期間Ｓｎがどの期間かを示す類型化パタン番号Ｎを決定するための類型化パタン番号決定手段、４は過去の月報から得られた１日の最高気温と消費された１日のエネルギ総需要量ＤＡＬＬから決定された、類型化された１日のエネルギ総需要量ＤＡＬＬと気象指標Ｔとの関係式の予測パラメータａｎ、ｂｎを記録する予測パラメータ記録手段である。１日の最高気温から１日のエネルギ総需要量ＤＡＬＬを類型化する手順については後述する。
【００１３】
５は類型化パタン番号決定手段３からの類型化パタン番号Ｎと、予測パラメータ記録手段４からの予測パラメータａｎ、ｂｎとから類型化パタン番号Ｎに対応した予測パラメータａＮ、ｂＮを決定するための予測パラメータ決定手段、６は予測パラメータ決定手段５からの予測パラメータａＮ、ｂＮと気象指標取得手段２からの気象指標Ｔから将来（例えば明日）の１日のエネルギ総需要量ＤＡＬＬを算出する１日当たりエネルギ総需要量算出手段である。
【００１４】
７は後述のように事前分析により求めた過去の或る日の或る時刻における消費された静的エネルギ需要量Ｗｏ、及び過去の或る日１日の日合計静的エネルギ需要量Ｅｏ、並びに類型化された過去の或る日の或る時刻における動的エネルギ需要量の１日の日合計動的エネルギ需要量に対する割合（類型化パタン割合）Ｐｎ（ｔｉ）（％）を記録する記録手段、８は類型化パタン番号決定手段３からの類型化パタン番号Ｎと記録手段７からの類型化パタン割合Ｐｎ（ｔｉ）（％）とから需要パタン割合ＰＮ（ｔｉ）（％）を決定するための需要パタン割合決定手段である。
【００１５】
９は１日当たりエネルギ総需要量算出手段６からの１日のエネルギ総需要量ＤＡＬＬ及び記録手段７からの或る日の或る時刻における静的エネルギ需要量Ｗｏと或る日１日の日合計静的エネルギ需要量Ｅｏ並びに需要パタン割合決定手段８からの需要パタン割合ＰＮ（ｔｉ）（％）から将来の或る当日Ｄｍの或る時刻ｔｉにおけるエネルギ需要量ＷＤｍ（ｔｉ）（ｉは時刻で、ｉ＝１〜２４）を決定するエネルギ需要曲線決定手段である。なお、エネルギ需要量ＷＤｍ（ｔｉ）は、後述のごとく、エネルギ需要曲線を表わすこともある。
【００１６】
而して、入力手段１、気象指標取得手段２、類型化パタン番号決定手段３、予測パラメータ記録手段４、予測パラメータ決定手段５、１日当たりエネルギ総需要量算出手段６、記録手段７、需要パタン割合決定手段８、エネルギ需要曲線決定手段９とによりエネルギ需要予測システムが構成されている。
【００１７】
１０はエネルギ需要曲線決定手段９からの将来の或る当日のエネルギ需要曲線ＷＤｍ（ｔｉ）を或る日Ｄ１のエネルギ需要量の日合計Ｄｏ、Ｄ１により補正して将来の或る当日の或る時刻における補正エネルギ需要量Ｗ’Ｄｍ（ｔｉ）を求める補正エネルギ需要量算出手段、１１は検針データＷＤ３（ｔｊ）により補正して補正エネルギ需要量ＷＤ３（ｔｋ）を求める補正エネルギ需要量算出手段、１２は補正エネルギ需要量算出手段１１からの補正エネルギ需要量ＷＤ３（ｔｉ）を基に熱源運転制御・エネルギ管理を行う熱源運転制御・エネルギ管理手段である。
【００１８】
而して、上記エネルギ需要予測システムに補正エネルギ需要量算出手段１０，１１及び熱源運転制御・エネルギ管理手段１２を加えることによりエネルギ管理システムが構成されており、エネルギ管理システムでは、エネルギ需要機器のエネルギ消費動向を把握し、エネルギ需要機器の適切な運転を行わせるようになっている。
【００１９】
上記システムを用いてエネルギの需要予測及びエネルギ管理を行う場合は、予め過去の気象指標Ｔとエネルギ総需要量ＤＡＬＬとの関係からエネルギ総需要量ＤＡＬＬの類型化を行い、類型化パタン番号Ｎの決定手段３、類型化されたエネルギ総需要量ＤＡＬＬの気象指標Ｔとの関係式の予測パラメータａｎ、ｂｎの記録手段４において、夫々の値を記憶して判断材料にするために、予め過去の月報のデータから実測された気象指標Ｔと実測された１日のエネルギ総需要量ＤＡＬＬの分析、及びエネルギ需要パタンの分析を行っておく必要がある。
【００２０】
すなわち、エネルギ需要パタンの分析を行う場合には、過去の月報のデータが得られた過去（例えば前年）の１年間に亘る毎日の気象指標Ｔ（最高気温）と、エネルギ需要機器で消費された過去のエネルギ総需要量ＤＡＬＬに関する１年間、３６５組のデータを点としてプロットし、このプロットされた点を基に６組のグループに類型化し、夫々のグループごとに、最小自乗法等を使用して代表させた一次曲線と気象指標Ｔとで一義的に決まる１日のエネルギ総需要量ＤＡＬＬを求めるため、［数１］の夫々の式を決定する。
【数１】
Ｓ１：ＤＡＬＬ＝ａ１×Ｔ＋ｂ１    （Ｔ１≦Ｔ）
Ｓ２：ＤＡＬＬ＝ａ２×Ｔ＋ｂ２    （Ｔ２≦Ｔ＜Ｔ１）
Ｓ３：ＤＡＬＬ＝ａ３×Ｔ＋ｂ３    （Ｔ３≦Ｔ＜Ｔ２）
Ｓ４：ＤＡＬＬ＝ａ４×Ｔ＋ｂ４    （Ｔ４≦Ｔ＜Ｔ３）
Ｓ５：ＤＡＬＬ＝ａ５×Ｔ＋ｂ５    （Ｔ５≦Ｔ＜Ｔ４）
Ｓ６：ＤＡＬＬ＝ａ６×Ｔ＋ｂ６    （Ｔ＜Ｔ５）
【００２１】
［数１］中、Ｓ１〜Ｓ６は、気象指標Ｔ（１日の最高気温）を基に１年を振り分けた類型化期間で、一般式はＳｎとなる。又、ａ１〜ａ６、ｂ１〜ｂ６は、１日のエネルギ総需要量ＤＡＬＬと気象指標Ｔとの関係式の予測パラメータで、一般式ではａｎ、ｂｎとなる。添え字ｎは一般化された類型化パタン番号で、ｎ＝１〜６である。
【００２２】
［数１］を図示すると図２に示すようになり、１年間が６つの区間に区切られる。図２中、Ｉは夏期の高温期間Ｓ１、ＩＩは夏期の低温期間Ｓ２、ＩＩＩは春、秋の中間期における高温期間Ｓ３、ＩＶは春、秋の中間期における低温期間Ｓ４、Ｖは冬期の高温期間Ｓ５、ＶＩは冬期の低温期間Ｓ６を示している。
【００２３】
而して、分析して得られた、類型化期間Ｓｎに基く予測パラメータａｎ、ｂｎは予測パラメータ記録手段４に記録され、類型化期間Ｓｎ及び気象指標Ｔ１、Ｔ２、Ｔ３、Ｔ４、Ｔ５は類型化パタン番号決定手段３に記録される。
【００２４】
エネルギ需要パタンの分析を行う場合には、適当な期間（例えば年３回、１回当たり各１ヶ月）に亘りテンポラリな検針システムで過去に実測した時刻毎の照明や動力のエネルギ需要量に関するデータを取得し、時刻毎に加算したエネルギ需要量を計測した日数で除して時刻毎に平均化して１日の各時刻ｔｉにおけるエネルギ需要量Ｗ（ｔｉ）を求める（図３参照）。このとき、エネルギ需要量Ｗ（ｔｉ）は照明やコンセント等の、時間を通して一定となる静的エネルギ需要量と、動力等の、時間によって変動する動的エネルギ需要量に分けることができる。
【００２５】
図３のように得られたエネルギ需要量Ｗ（ｔｉ）をプロットすることにより得られた曲線を静的エネルギ需要量Ｗｏと動的エネルギ需要量［Ｗ（ｔｉ）−Ｗｏ］に分けて［数２］により類型化された或る日の或る時刻における動的エネルギ需要量の１日の日合計動的エネルギ需要量に対する割合（類型化パタン割合）Ｐｎ（ｔｉ）（％）が決定される（図４参照）。
【数２】
2004355460.tif 000003
【００２６】
図２に示す前述の各６期間（夏期の高温期間Ｓ１、夏期の低温期間Ｓ２、中間期の高温期間Ｓ３、中間期の低温期間Ｓ４、冬期の高温期間Ｓ５、冬期の低温期間Ｓ６）の動的エネルギ需要量の割合（類型化パタン割合）Ｐｎ（ｔｉ）（％）（ｎ＝１〜６、ｉ＝１〜２４）は図５〜図１０のごとく決定される。
【００２７】
而して、分析されたエネルギ需要パタンを基に決定した或る日の或る時刻における静的エネルギ需要量Ｗｏ、或る日１日の日合計静的エネルギ需要量Ｅｏ、各６期間における或る日の或る時刻における動的エネルギ需要量の１日の日合計動的エネルギ需要量に対する割合（類型化パタン割合）Ｐｎ（ｔｉ）（％）は記録手段７に記録される。
【００２８】
次に、エネルギ需要予測やエネルギ管理を行う場合の手順について説明する。毎朝、入力手段１によってその日の予測される最高温度（気象指標Ｔ）が気象指標取得手段２に取得され、取得された気象指標Ｔは、類型化パタン番号決定手段３及び１日当たりエネルギ総需要量算出手段６とに与えられる。
【００２９】
類型化パタン番号決定手段３では、気象指標Ｔを基に気象指標Ｔ１、Ｔ２、Ｔ３、Ｔ４、Ｔ５と比較して、類型化期間Ｓｎが決定され、該類型化期間Ｓｎを示す類型化パタン番号Ｎが決定される。決定された類型化パタン番号Ｎは予測パラメータ決定手段５及び需要パタン決定手段８に与えられる。
【００３０】
又、予測パラメータ記録手段４からは、予測パラメータａｎ、ｂｎが予測パラメータ決定手段５に与えられている。このため、予測パラメータ決定手段５では、類型化パタン番号Ｎと予測パラメータａｎ、ｂｎから、予測パラメータａＮ、ｂＮが決定され、決定された予測パラメータａＮ、ｂＮは１日当たりエネルギ総需要量算出手段６に与えられる。
【００３１】
１日当たりエネルギ総需要量算出手段６では、気象指標Ｔと予測パラメータａＮ、ｂＮを基に［数３］により、１日のエネルギ総需要量ＤＡＬＬが算出され、算出された１日のエネルギ総需要量ＤＡＬＬは当日のエネルギ需要曲線決定手段９に与えられる。
【数３】
ＤＡＬＬ＝ａＮ×Ｔ＋ｂＮ
【００３２】
一方、需要パタン割合決定手段８には、類型化パタン番号決定手段３からの類型化パタン番号Ｎの他に、記録手段７から類型化パタン割合Ｐｎ（ｔｉ）が与えられている。このため、需要パタン割合決定手段８では、需要パタン割合ＰＮ（ｔｉ）が決定され、決定された需要パタン割合ＰＮ（ｔｉ）はエネルギ需要曲線決定手段９に与えられる。又、エネルギ需要曲線決定手段９には、記録手段７から或る日の或る時刻における静的エネルギ需要量Ｗｏ、或る１日の日合計静的エネルギ需要量Ｅｏが与えられている。
【００３３】
このため、エネルギ需要曲線決定手段９では、［数４］により、或る日Ｄｍの当日のエネルギ需要曲線ＷＤｍ（ｔｉ）が決定され、これにより当日のエネルギ需要の予測が行われる。なお、静的エネルギ需要量Ｗｏが計測されていない場合、又は、静的エネルギ需要量Ｗｏが明確に分離できない場合には、１日の静的エネルギ需要量Ｗｏ及び日合計静的エネルギ需要量Ｅｏは零として処理されたデータが使用される。
【数４】
ＷＤｍ（ｔｉ）＝（ＤＡＬＬ−Ｅｏ）×ＰＮ（ｔｉ）＋Ｗｏ    （ｉ＝１、２、３・・・２４）
【００３４】
エネルギ需要曲線決定手段９で決定された当日のエネルギ需要曲線ＷＤｍ（ｔｉ）は補正エネルギ需要量算出手段１０に与えられて、或る日Ｄ１のエネルギ需要量の日合計Ｄｏ、Ｄ１が得られる場合のみ、［数５］により或る日Ｄ１の日合計補正エネルギ需要量Ｗ’Ｄｍ（ｔｉ）が算出される。なお、実際はエネルギ需要曲線は各時刻毎に得られたＷＤｍ（ｔｉ）（ｉ＝１〜２４）をプロットすることにより得られるが、便宜上ＷＤｍ（ｔｉ）をエネルギ需要曲線と称する。
【数５】
Ｗ’Ｄｍ（ｔｉ）＝（Ｄｏ，Ｄ１−Ｅｏ）×ＰＮ（ｔｉ）＋Ｗｏ    （ｉ＝１、２、３・・・２４、ｍ＝２、３、・・・）
【００３５】
補正エネルギ需要量算出手段１０で算出された補正エネルギ需要量Ｗ’Ｄｍ（ｔｉ）は補正エネルギ需要量算出手段に１１に与えられ、或る日Ｄ３の時刻ｔｊの検針データ（電力計、ガス計等のデータ）ＷＤ３（ｔｊ）が得られる場合のみ［数６］を基に或る日Ｄ３の時刻ｔｊより後の補正エネルギ需要量ＷＤ３（ｔｋ）の算出が行われる。
【数６】
ＷＤ３（ｔｋ）＝ＷＤｍ（ｔｋ）×（ＷＤ３（ｔｊ）／ＷＤｍ（ｔｊ））    （ｋ＝ｊ＋１、ｊ＋２、ｊ＋３、・・・、２４）
【００３６】
エネルギ需要曲線決定手段９又は補正エネルギ需要量算出手段１０若しくは補正エネルギ需要量算出手段１１で求められたエネルギ需要曲線ＷＤｍ（ｔｉ）、補正エネルギ需要量Ｗ’Ｄｍ（ｔｉ）、ＷＤ３（ｔｋ）は、熱源運転制御・エネルギ管理手段１２に与えられて建物の当日の熱源運転制御、エネルギ管理に供せられる。
【００３７】
［数５］、［数６］で求めた補正エネルギ需要量Ｗ’Ｄｍ（ｔｉ）、ＷＤ３（ｔｋ）をグラフに示すと図１１に示すようになる。図１１中、Ｄ１、Ｄ２、Ｄ３、Ｄ４は連続する日、Ｄｏ、Ｄ１はＤ１に実測されてデータとして得られ、手入力された１日のエネルギ総需要量、ＷＤ３（ｔｊ）はＤ３の日の時刻ｔｊに検針されたデータの手入力時間データ、Ｗｏは静的需要エネルギ、ＷＤｍ（ｔｉ）は補正エネルギ需要量である。図１１からも明らかなように、補正エネルギ需要量Ｗ’Ｄｍ（ｔｉ）、ＷＤ３（ｔｋ）において補正されるのは動的エネルギ需要量の部分（斜線の付してある部分）である。
【００３８】
［数４］により当日のエネルギ需要予測として、エネルギ需要曲線ＷＤｍ（ｔｉ）が求められたら、建物の冷暖房、給湯等のエネルギ需要機器は、熱源運転制御・エネルギ管理手段１２から指令として与えられたその当日のエネルギ需要曲線ＷＤｍ（ｔｉ）に従って運転が行われる。このため、エネルギ需要機器のエネルギ需要が適切となるよう、最適な運転を行うことができる。又、補正エネルギ需要量算出手段１０，１１からの補正エネルギ需要量Ｗ’Ｄｍ（ｔｉ）、ＷＤ３（ｔｋ）により、熱源運転制御・エネルギ管理手段１２では、エネルギ需要機器のエネルギ消費動向がより現実に近い値に補正され、動的エネルギ需要量が管理されつつエネルギ需要機器の適切な運転が行われる。
【００３９】
本図示例によれば、エネルギ需要予測を高価な自動検針システムを用いることなく、建物に適した各時刻毎のエネルギ需要パタンとして予測し、補正することができる。又、エネルギ管理を行う場合はエネルギ需要予測に加えて建物に即した時間毎のエネルギ需要量を連続的に記録することが可能となる。
【００４０】
なお、本発明のエネルギ需要予測方法及びエネルギ管理方法は、上記した実施の形態に限定されるものではなく、本発明の要旨を逸脱しない範囲内において種々変更を加え得ることは勿論である。
【００４１】
【発明の効果】
以上、説明したように本発明の請求項１〜３記載のエネルギ需要予測方法及びエネルギ管理方法によれば、エネルギ需要予測を高価な自動検針システムを用いることなく、建物に適した各時刻毎のエネルギ需要パタンとして予測し、補正することができ、又、エネルギ管理をエネルギ需要予測の場合の効果に加えて建物に即した時間毎のエネルギ需要量を連続的に記録することが可能となる、という優れた効果を奏し得る。
【図面の簡単な説明】
【図１】本発明のエネルギ需要予測方法及びエネルギ管理方法を実施する場合のシステムのブロック図である。
【図２】過去の月報から得られた気象指標及び１日のエネルギ総需要量の関係からエネルギ需要量の類型化を行う手順を説明するためのグラフである。
【図３】或る日の時刻毎に得られたエネルギ需要量を示すと共に、エネルギ需要量を静的エネルギ需要量と動的エネルギ需要量に分けたグラフである。
【図４】図３のグラフを基に得られた時刻毎の動的エネルギ需要量の割合を示すグラフである。
【図５】動的エネルギ需要量の割合を示すグラフで、夏期の高温期間の場合のグラフである。
【図６】動的エネルギ需要量の割合を示すグラフで、夏期の低温期間の場合のグラフである。
【図７】動的エネルギ需要量の割合を示すグラフで、中間期の高温期間の場合のグラフである。
【図８】動的エネルギ需要量の割合を示すグラフで、中間期の低温期間の場合のグラフである。
【図９】動的エネルギ需要量の割合を示すグラフで、冬期の高温期間の場合のグラフである。
【図１０】動的エネルギ需要量の割合を示すグラフで、冬期の低温期間の場合のグラフである。
【図１１】連続する日と当日の補正エネルギ需要量との関係を示すグラフである。
【符号の説明】
１    入力手段
２    気象指標取得手段
３    類型化パタン番号決定手段
４    予測パラメータ記録手段
５    予測パラメータ決定手段
６    １日当たりエネルギ総需要量算出手段
７    記録手段
８    需要パタン割合決定手段
９    エネルギ需要曲線決定手段
１０    補正エネルギ需要量算出手段
１１    補正エネルギ需要量算出手段
１２    熱源運転制御・エネルギ管理手段
Ｔ    気象指標
【図１】
2004355460.tif 000004
【図２】
2004355460.tif 000005
【図３】
2004355460.tif 000006
【図４】
2004355460.tif 000007
【図５】
2004355460.tif 000008
【図６】
2004355460.tif 000009
【図７】
2004355460.tif 000010
【図８】
2004355460.tif 000011
【図９】
2004355460.tif 000012
【図１０】
2004355460.tif 000013
【図１１】
2004355460.tif 000014